(57)【特許請求の範囲】
【請求項１】
上蓋と、該上蓋が螺着可能に設けられた中栓とを備え、
該中栓は、筒状の出口筒を有し、
該出口筒は、その先端部の外周面に案内面が形成されると共に該先端部に該案内面と連続する弱化部を介して連結させた開口予定部とを有しており、
該上蓋は、天壁と、該天壁の内面に設けられた中足とを有し、
該中足は、基部と端部とを有すると共に該基部と該端部との間に屈曲可能部が設けられ、
該端部は、該基部よりも内方に、該開口予定部に引掛り可能の設けられると共に該屈曲可能部によって反転可能に設けられるキャップであって、
該上蓋が該中栓に螺着された際に、該端部が該案内面に当接すると共に該上蓋と該中栓との螺合を最初に解除させる際に該端部が該案内面に沿って移動して、該開口予定部に引掛けられ、更に該上蓋部を離脱させると該弱化部が破断することを特徴とするキャップ。
【請求項２】
前記上蓋の前記中足より内方の天壁には、保持部が設けられており、
該保持部は、前記破断部が破断した後に前記開口予定部が落下しない様に保持可能となっていることを特徴とする請求項１に記載のキャップ。
【請求項３】
前記中栓は、前記出口筒よりも外側に、注出筒を更に有し、
前記中足は、前記上蓋を該中栓に螺着させた際に該注出筒と当接可能となっていることを特徴とする請求項１又は２に記載のキャップ。 
【発明の詳細な説明】
【技術分野】
【０００１】
本発明は、キャップに関し、より詳細には、開封手段としてプルリングの用いないキャップに関する。
【背景技術】
【０００２】
従来、容器の密封性等を確保するために、容器口部には上蓋及び中栓からなるキャップが装着される。該中栓と該容器との連通部には、弱化部によって区画された開口予定部によって最初は塞がれており、該開口予定部に立設されたプルリング等を引っ張ることで該弱化部を破断させ、該開口予定部を除去することで容器の開封を行っていた。しかしながら、プルリング等を引っ張ることで開口予定部を除去する作業は、煩わしいだけでなく、通常、指１本で行われる作業であるため、力の弱い者にとっては比較的困難な作業であった。
【０００３】
そこで、近年、開封にプルリング等を用いないキャップの開発が求められている。この様なキャップとして、例えば、特許文献１に記載されたキャップがある。
【先行技術文献】
【特許文献】
【０００４】
【特許文献１】国際公開第２００７／１２６０６２号公報
【発明の概要】
【発明が解決しようとする課題】
【０００５】
しかしながら、特許文献１に記載されたキャップにおいては、外部より衝撃が加わった際に、開口予定部を繋ぎ止めている弱化部が切断され、内容物が漏れてしまう危険性があるという問題があった。又、開封する際に、上蓋を一体閉蓋方向に回動させ、弱化部を破断すると共に上蓋に開口予定部を螺着させてから再度上蓋を開蓋方向に回動させる必要があり、非常に開封作業が煩わしいという問題があった。そして、一般的なキャップに慣れている需要者は、先ず開蓋方向に上蓋を回動させてしまし、上蓋を離脱後に開封作業が異なることに気付いて再度開封作業をやり直すことが多々あり、このことが開封作業の煩わしさが更に助長している。
【０００６】
そこで、本発明は、開蓋方向に上蓋を回動させることのみで、開封可能なキャップを提供することを課題とする。
【課題を解決するための手段】
【０００８】
本発明は、上蓋と、該上蓋が螺着可能に設けられた中栓とを備え、該中栓は、筒状の出口筒を有し、該出口筒は、その先端部の外周面に案内面が形成されると共に該先端部に該案内面と連続する弱化部を介して連結させた開口予定部とを有しており、該上蓋は、天壁と、該天壁の内面に設けられた中足とを有し、該中足は、基部と端部とを有すると共に該基部と該端部との間に屈曲可能部が設けられ、該端部は、該基部よりも内方に、該開口予定部に引掛り可能の設けられると共に該屈曲可能部によって反転可能に設けられるキャップであって、該上蓋が該中栓に螺着された際に、該端部が該案内面に当接すると共に該上蓋と該中栓との螺合を最初に解除させる際に該端部が該案内面に沿って移動して、該開口予定部に引掛けられ、更に該上蓋部を離脱させると該弱化部が破断することを特徴とするキャップである。 
【０００９】
尚、本発明は、前記上蓋の前記中足より内方の天壁に、保持部が設け、該保持部を、前記破断部が破断した後に前記開口予定部が落下しない様に保持可能とすることも可能である。又、本発明は、前記中栓が、注出筒を更に有するものとし、前記中足を前記上蓋が該中栓に螺着された際に、該注出筒と当接可能とすることも可能である。
【発明の効果】
【００１０】
本発明は、特に、上蓋に中足を設け、該中足を上記の様に構成したので、該上蓋を開蓋方向に回動させるのみで、弱化部を破断し、キャップを開封することが可能である。
【図面の簡単な説明】
【００１１】
【図１】本発明の第１実施形態を示す平面図である。
【図２】図１のII−II断面図である。
【図３】図２の中栓を省略したIII−III矢視拡大図に相当する立体図である。
【図４】図２の要部拡大略図であり。（Ａ）は開封前の様子を、（Ｂ）は開封直前の様子を、（Ｃ）は開封後の様子を示す図である。
【図５】本発明の第２実施形態を示す図であり、図２の相当する図である。
【図６】図５の要部拡大略図である。
【図７】本発明の第３実施形態を示す図であり、図２の相当する図である。
【発明を実施するための形態】
【００１２】
本発明の第１実施形態について図１乃至４に基づき説明する。先ず、本実施形態の構成について図１乃至図３に基づいて説明する。キャップ１は、上蓋２と、上蓋２が螺着可能に設けられた中栓３とを備える。
【００１３】
中栓３は、頂壁４、螺合筒５、外筒６及び出口筒７とを有している。螺合筒５は、頂壁４の外周縁より垂下するように設けられており、その外周面には、螺条８を有している。又、螺合筒５の下端は、内筒９と連続している。
【００１４】
外筒６は、螺条筒５の下端より外方に突出する様に連続して設けられ、内筒９と共にキャップ１が装着される容器（図示せず）の口部が嵌着される嵌着溝１０を形成する様に設けられる。又、外筒６の頂部には、凹条１０が形成されている。
【００１５】
出口筒７は、開口予定部１３を有していると共に筒状に形成されており、本実施形態においては、注出筒を兼ねている。又、出口筒７は、頂壁４の内周縁より立設する様に設けられている。出口筒７の先端部７ａには、その外周面に案内面１１が形成されていると共に案内面１１と連続する弱化部１２を介して開口予定部１３が連結されている。
【００１６】
開口予定部１３は、出口筒７の先端部７ａを閉塞する様に形成されており、キャップ１が装着される容器の初期の密封性を確保するために設けられる。開口予定部１３には、出口筒７を閉塞するための閉塞板１４と、係合筒１５とを有している。本実施形態において、閉塞板１４は、係合筒１５の内方に位置する様に形成されている。又、係合筒１５の外周面の内、特に上方の外周面は、円弧面１６となっている。係合筒１５の下端は、弱化部１２と連続しており、弱化部１２を介して出口筒７に連結されている。
【００１７】
上蓋２は、天壁１７と、スカート壁１８と、開封バンド１９とを有している。スカート壁１８は、天壁１７の外周縁より垂下する様に形成されており、開封バンド１９は、スカート壁１８の下端と弱化線を介して連続する様に形成されている。開封バンド１９は、悪戯や容器の落下等の衝撃等で不意に上蓋２と中栓３との螺着が解除されることを防止するために設けられており、開封時に開封バンド１９を除去するために把持される把持部１９ａが形成されている。
【００１８】
スカート壁１８は、主筒部１８ａと、主筒部１８ａの下端より外方に突出する様に設けられた、周筒部１８ｂとを有しており、主筒部１８ａの内周面に、螺合筒５の螺条８と螺合可能に形成され、上蓋２を中栓３に螺着するための螺条２０が形成されている。又、主筒部１８ａの下端には、凸条２１が形成されている。凸条２１は、上蓋２を中栓３に螺着した際に、中栓３の凹条１０に嵌着し、それ以上、上蓋２が下がらぬ様にするため、つまり上蓋２の嵌着位置を規定するためのものである。
【００１９】
天壁１７の内面からは、中足２２が垂設されており、更に、中足２２より内方の天壁１７には、開口予定部１３の係合筒１５と係合可能に形成された保持筒２３が垂設されている。保持筒２３は、上蓋２を最初に中栓３から離脱させる際に、開口予定部１３の係合筒１５と係合可能に形成されており、開封後に開口予定部１３を上蓋２内に留め、その落下を防止するための保持部として設けられている。
【００２０】
中足２２は、略円筒状に形成されると共に基部２２ａと端部２２ｂとを有している。基部２２ａと端部２２ｂとは、屈曲可能部２２ｃを介して連続している。基部２２ａの内径は、少なくとも出口筒７の先端部７ａの外径よりも大きくなる様に形成され、上蓋２を中栓３に螺着した際に、出口筒７の先端部７ａが基部２２ａの内方に位置する様になっている。
【００２１】
端部２２ｂは、屈曲可能部２２ｃによって反転可能形成されており、本実施形態においては、鋸刃状の刃部２４が形成されている。又、端部２２ｂは、基部２２ａよりも内方に突出する様に設けられており、上蓋２が、最初に中栓３に螺着されるまでは、下方に向いている。本実施形態において、刃部２４は、端部２２ｂの全周に亘って連続して形成されているが、複数の鋸刃状の刃部２４を間欠的に形成してもよく、又、刃部２４が形成されていない部分を設けることも可能である。
【００２２】
本実施形態において、端部２２ｂは、最初に上蓋２が中栓３に螺着される際に、先ず、係合筒１５の円弧面１６に当接し、円弧面１６に沿って、上方（矢印Ａ方向）へと反転する様に形成されていると共にその後、更に上蓋２を中栓３に螺合させた際に、出口筒７の案内面１１に当接する様に形成されている。尚、本実施形態においては、上蓋２は、端部２２ｂを予め反転させておき、その状態で中栓３に螺着する様にすることも可能となっており、どの段階で端部２２ｂを反転させるかを適宜選択可能となっている。
【００２３】
次に、本実施形態の開封工程について図４に基づき説明する。
（１）開封前は、中足２２の端部２２ｂは、上方に反転した状態で、出口筒７の案内面１１に当接している（図４（Ａ）を参照）。
【００２４】
（２）容器の開封のために上蓋２を開蓋方向（上蓋２が開く方向）に回動させ、上蓋２と中栓３との螺合を解除していくと、上蓋２が上方へと移動するに連れて、端部２２ｂは案内面１１に沿って弱化部１２に向かって移動し、端部２２ｂの刃部２４が、弱化部１２に当接する（図４（Ｂ）を参照）。
【００２５】
（３）その後、更に上蓋２を開蓋方向に回動させ、上蓋２と中栓３との螺合を解除していくと、刃部２４は、弱化部１２を切断（破断）させ、出口筒７と開口予定部１３とが完全に分離され、開口部１３Ａが形成される。その際、本実施形態においては、開口予定部１３の係合筒１５と上蓋２の保持筒２３とが係合状態にあるため、当該分離した開口予定部１３は、落下することなく、上蓋２内に留められる（図４（Ｃ）を参照）。
【００２６】
従って、上蓋２を開蓋方向に回動させるだけで、容器を開封することが可能である。又、中足２２の端部２２ｂを、案内面１１に沿って、弱化部１２向かって移動させることができるため、より確実に刃部２４を弱化部１２に当接させ、弱化部１２を切断することができる。更に、刃部２４が鋸刃状になっているため、より小さい力で弱化部１２を破断（切断）することができる。
【００２７】
本発明の第２実施形態について。図５及び図６に基づき説明する。本実施形態と第１実施形態との相違は、弱化部１２を、端部２２ｂに形成された刃部２４によって切断する替りに、端部２２ｂによって開口予定部１３を引掛け、つまりは、端部２２ｂと開口予定部１３とを引掛け合い、上蓋２の移動と共に開口予定部１３を引っ張り上げることで弱化部１２を破断させることである。尚、第１実施形態と同符号で示した構成については、同実施形態と同様であるので説明を省略する。
【００２８】
本実施形態においては、開口予定部１３には、最初に上蓋２と中栓３との螺合を解除する際、つまり開封する際に、反転した中足２２の端部２２ｂが引掛け可能に形成された被被引掛部１３ａが形成されている。つまり、端部２２ｂは、被引掛部１３ａに引掛け可能の形成された引掛部２５を有することとなり、本実施形態においては、端部２２ｂの先端部に引掛部２５が形成されている。尚、引掛部２５の位置等については、適宜選択可能である。又、被引掛部１３ａは、弱化部１２の近傍に設けることが好ましく、本実施形態においては、出口筒７の案内面１１、弱化部１２及び開口予定部１３の係合筒１５の下端とで、凹部２６を形成することで、係合筒１５の下端に被引掛部１３ａを形成している。
【００２９】
本実施形態においては、上記開封工程（２）及び（３）において、先ず、中足２２における端部２２ｂの引掛部２５と開口予定部１３の被引掛部１３ａとが引掛り合い、更に上蓋２と中栓３との螺合を解除していき上蓋２を上方へと移動させると、端部２２ｂによって、開口予定部１３が上方へと引っ張り上げられと共に弱化部１２に負荷を掛け、弱化部１２を破断し、開口部１３Ａを形成する。
【００３０】
尚、本実施形態においては、上蓋２を中栓３に螺着した際に、中足２２の端部２２ｂを開口部１３Ａの案内面１１に全周に亘って当接させることが可能であるため、より高いリシール性を確保することが可能である。
【００３１】
以上、本発明を上記実施形態に基づき説明したが、本発明は上記実施形態に限定されるものではなく、本発明の要旨を変更しない範囲で適宜変更可能である。例えば、本発明の第３実施形態（図７を参照）の様に出口筒７を注出筒を兼ねるものとせず、別途、出口筒７よりも外側に注出筒２７を設けることも可能である。その場合、上蓋２を中栓３に螺着させた際に、中足２２の外周面を注出筒２７の内周面に当接させるようにすることで、中足２２に端部２２ｂと案内面１１との当接によって、中足２２と注出筒２７との間の当接力が高まり、より高いリシール性を確保することが可能である。
【００３２】
又、刃部２４に補強のためのリブ等を設けてもよい。更に、弱化部１２にローレットや段差又は凹凸等（図示せず）を設け、刃部２４は弱化部１２に喰い込み易いようにしてもよい。
【符号の説明】
【００３３】
１      キャップ            ２      上蓋                ３      中栓
４      頂壁                ５      螺合筒              ６      外筒
７      出口筒              ７ａ    先端部              ８      螺条
９      内筒                １０    凹条                １１    案内面
１２    弱化部              １３    開口予定部          １３Ａ  開口部
１３ａ  被引掛部            １４    閉塞板              １５    係合筒
１６    円弧面              １７    天壁                １８    スカート壁
１８ａ  主筒部              １８ｂ  周筒部              １９    開封バンド
１９ａ  把持部              ２０    螺条                ２１    凸条
２２    中足                ２２ａ  基部                ２２ｂ  端部
２２ｃ  屈曲可能部          ２３    保持筒              ２４    刃部
２５    引掛部              ２６    凹部                ２７    注出筒
【図１】
0006460764.tif 000002
【図２】
0006460764.tif 000003
【図３】
0006460764.tif 000004
【図４】
0006460764.tif 000005
【図５】
0006460764.tif 000006
【図６】
0006460764.tif 000007
【図７】
0006460764.tif 000008